(57)【要約】【課題】鍋等の大きな被洗浄物に対しても充分に洗浄水を供給することができる、高い洗浄性能を有する食器洗い機を提供することを目的とする。【解決手段】本体１と、本体１内に設けられた洗浄槽２と、洗浄槽２内に配設され、食器等の被洗浄物６が収容される上食器かご７および下食器かご８と、洗浄槽２に溜められた洗浄水を循環させる洗浄ポンプ２２と、洗浄槽２内の下部に回転自在に設けられた洗浄ノズルと、洗浄槽２の側面に設けられた第２の水平部位１６ｃ等の導水路および導水路出口１６ｄとを備え、少なくとも１つの導水路出口１６ｄにおいて、噴射形態が異なる複数の洗浄ノズルのいずれかが設けられ、前記複数の洗浄ノズルのうちのいずれかから洗浄水を噴射できるように切換可能に構成されたもので、上記課題を解決することができる。【選択図】図４
2019080601.tif 000002
【特許請求の範囲】
【請求項１】
本体と、
前記本体内に設けられた洗浄槽と、
前記洗浄槽内に配設され、被洗浄物が収容される食器かごと、
前記洗浄槽に溜められた洗浄水を循環させる洗浄ポンプと、
前記洗浄槽に設けられた導水路および導水路出口と、
洗浄水を噴射する洗浄ノズルとを備え、
少なくとも１つの前記導水路出口において、噴射形態が異なる複数の洗浄ノズルのいずれかが設けられ、前記複数の洗浄ノズルのうちのいずれかから洗浄水を噴射できるように切換可能に構成されたことを特徴とする、
食器洗い機。
【請求項２】
本体と、
前記本体内に設けられた洗浄槽と、
前記洗浄槽内に配設され、被洗浄物が収容される食器かごと、
前記洗浄槽に設けられた導水路および導水路出口と、
前記導水路出口に洗浄ノズル導水路を介して連通する洗浄ノズルと、
前記洗浄槽に溜められた洗浄水を前記洗浄ノズルに送水する洗浄ポンプとを備え、
前記洗浄ノズル導水路は、前記導水路出口に着脱可能に構成されたことを特徴とする、
食器洗い機。
【請求項３】
前記導水路出口に固定洗浄ノズルが設けられ、
前記洗浄ノズル導水路は、前記固定洗浄ノズルに被せるようにして前記導水路出口に着脱自在に構成された、
請求項２に記載の食器洗い機。
【請求項４】
前記洗浄ノズルは、噴射口が固定された固定洗浄ノズルまたは噴射口が回転する回転洗浄ノズルである、
請求項１〜３のいずれか１項に記載の食器洗い機。
【請求項５】
前記回転洗浄ノズルは、前記洗浄ノズル導水路の先端部に、上面に複数の噴射孔を有する回転自在なアーム部を有し、
前記導水路出口に固定洗浄ノズルが設けられ、
前記洗浄ノズル導水路は、前記固定洗浄ノズルに被せるようにして前記導水路出口に着脱自在に構成された、
請求項４に記載の食器洗い機。
【請求項６】
前記固定洗浄ノズルは、洗浄水を所定方向に分散して噴射するように形成された、
請求項３〜５のいずれか１項に記載の食器洗い機。
【請求項７】
前記固定洗浄ノズルは、円周上に配設された複数の噴射孔によって構成され洗浄水を放射状に噴射する放射噴射孔と、前記円周の略中心に設けられ洗浄水を前方に噴射する前方噴射孔とを有する、
請求項６に記載の食器洗い機。
【請求項８】
前記洗浄ノズル導水路は、水平方向に直線的に着脱可能に構成された、
請求項２〜７のいずれか１項に記載の食器洗い機。
【請求項９】
前記導水路出口に前記洗浄ノズル導水路が装着された状態において、前記洗浄ノズル導水
路と前記導水路出口の双方に設けられた壁面がラビリンス構造を成すことによって、水密に構成される、
請求項２〜８のいずれか１項に記載の食器洗い機。
【請求項１０】
前記導水路出口より上方に設けられた食器かごは、上下に移動して高さ位置を調節可能に構成された、
請求項１〜９のいずれか１項に記載の食器洗い機。
【発明の詳細な説明】
【技術分野】
【０００１】
本発明は、洗浄槽内に収納された食器等の被洗浄物を洗浄する食器洗い機に関するもので、特に、洗浄ノズルの構成に関する。
【背景技術】
【０００２】
従来の食器洗い機として、上下２段の食器かごを備え、上食器かごに収容された被洗浄物の洗浄効果を向上させるため、上食器かごと下食器かごの間に回転洗浄ノズルを配設した食器洗い機が提案されている（例えば、特許文献１および特許文献２参照）。
【０００３】
しかしながら、上記構成の食器洗い機では、大皿等の大きな食器や鍋等の大きな調理器具を収容して洗浄する場合、上食器かごと下食器かごの間に配設された回転洗浄ノズルが妨げとなり、大きな被洗浄物を収容することができない。
【０００４】
この課題を解決するため、特許文献１に記載された食器洗い機は、上食器かごと下食器かごの間に配設された回転洗浄ノズルが、洗浄槽の背面内壁に沿わせて配設された固定洗浄ノズルに着脱可能に接続されている。大きな被洗浄物を収容する場合、上食器かごと下食器かごの間に配設された回転洗浄ノズルを取り外して収容空間を確保する。上食器かごと下食器かごの間に配設された回転洗浄ノズルが取り外された固定洗浄ノズルの接続部は、蓋部によって水密に閉じられる。
【０００５】
また、特許文献２に記載された食器洗い機は、上食器かごと下食器かごの間に配設された回転洗浄ノズルが、洗浄槽の背面内壁に沿わせて配設された固定洗浄ノズルに対する接続部で上方向に回動可能に構成されている。大きな被洗浄物を収容する場合、上食器かごと下食器かごの間に配設された回転洗浄ノズルを上方に回動させ、洗浄槽の背面内壁側に回避させることによって、大きな被洗浄物の収容空間を確保する。
【先行技術文献】
【特許文献】
【０００６】
【特許文献１】特開２００７−２８２８３１号公報
【特許文献２】特開２００８−１０４４８０号公報
【発明の概要】
【発明が解決しようとする課題】
【０００７】
しかしながら、上記特許文献１および特許文献２に開示された従来の食器洗い機の構成では、大きな被洗浄物を収容した場合、収容された大きな被洗浄物の後方には洗浄水を噴射する洗浄ノズルが存在しない。したがって、大きな被洗浄物の洗浄は主に洗浄槽の下方に配設された洗浄ノズルに頼ることになり、特に被洗浄物の内面には噴射された洗浄水が行き渡らず、充分な洗浄性能が得られないという課題を有していた。
【０００８】
本発明は、前記従来の課題を解決するもので、上下の食器かごに収容された被洗浄物に対し、適切に洗浄ノズルを切り換え、被洗浄物に応じた効果的な洗浄が行えるとともに、大皿等の大きな食器や鍋等の大きな調理器具等の大きな被洗浄物に対しても充分に洗浄水を供給することができる、高い洗浄性能を有する食器洗い機を提供することを目的とする。
【課題を解決するための手段】
【０００９】
本発明の食器洗い機は、上記目的を達成するために、本体と、前記本体内に設けられた
洗浄槽と、前記洗浄槽内に配設され、被洗浄物が収容される食器かごと、前記洗浄槽に溜められた洗浄水を循環させる洗浄ポンプと、前記洗浄槽に設けられた導水路および導水路出口と、洗浄水を噴射する洗浄ノズルとを備え、少なくとも１つの前記導水路出口において、噴射形態が異なる複数の洗浄ノズルのいずれかが設けられ、前記複数の洗浄ノズルのうちのいずれかから洗浄水を噴射できるように切換可能に構成されたものである。この構成によって、食器かごに収容された被洗浄物に対し、適切に洗浄ノズルを切り換え、被洗浄物に応じた効果的な洗浄が行えるとともに、大皿等の大きな食器や鍋等の大きな調理器具等の大きな被洗浄物に対しても充分に洗浄水を供給することができる、高い洗浄性能を有する食器洗い機を提供することができる。
【発明の効果】
【００１０】
本発明の食器洗い機は、食器かごに収容された被洗浄物に対し、適切に洗浄ノズルを切り換え、被洗浄物に応じた効果的な洗浄が行えるとともに、大皿等の大きな食器や鍋等の大きな調理器具等の大きな被洗浄物に対しても充分に洗浄水を供給することができる、高い洗浄性能を有する食器洗い機を提供することができる。
【図面の簡単な説明】
【００１１】
【図１】本発明の実施の形態１における食器洗い機の上扉体および下扉体が開かれた状態の正面外観斜視図
【図２】本発明の実施の形態１における食器洗い機の背面外観斜視図
【図３】本発明の実施の形態１における食器洗い機の正面図
【図４】本発明の実施の形態１における食器洗い機の要部正面断面図
【図５】本発明の実施の形態１における食器洗い機の上扉体および下扉体が閉じられた状態の側壁部断面図
【図６】本発明の実施の形態１における食器洗い機の上扉体および下扉体が開かれた状態の側面図
【図７】本発明の実施の形態１における食器洗い機の上食器かごの構成を示す斜視図
【図８】本発明の実施の形態１における食器洗い機の下食器かごの構成を示す斜視図
【図９】本発明の実施の形態１における食器洗い機の洗浄槽の水溜部および排水口の構成を示す上面断面図
【図１０】本発明の実施の形態１における食器洗い機の洗浄槽の水溜部および排水口の構成を示す、水溜部蓋が取り除かれた状態の上面断面図
【図１１】本発明の実施の形態１における食器洗い機の洗浄槽の水溜部および排水口の構成を示す図９のＡ−Ａ断面斜視図
【図１２】本発明の実施の形態１における食器洗い機の残菜フィルタに関連する部分の分解斜視図
【図１３】本発明の実施の形態１における食器洗い機の洗浄およびすすぎ動作時の残菜フィルタおよび排水口まわりの洗浄水の流れを示す、図９のＢ−Ｂ断面図
【図１４】本発明の実施の形態１における食器洗い機の排水動作時の残菜フィルタおよび排水口まわりの洗浄水の流れを示す、図９のＣ−Ｃ断面斜視図
【図１５】（ａ）本発明の実施の形態１における食器洗い機の第３の回転洗浄ノズルが取り付けられた状態を示す正面断面図（ｂ）第３の回転洗浄ノズルが取り付けられた状態を示す要部斜視図
【図１６】（ａ）本発明の実施の形態１における食器洗い機の第３の回転洗浄ノズルが取り外された状態を示す正面断面図（ｂ）第３の回転洗浄ノズルが取り外された状態を示す要部斜視図
【図１７】本発明の実施の形態１における食器洗い機の第３の回転洗浄ノズルの回転洗浄ノズル導水路と導水路出口との接続部の横断面図
【図１８】（ａ）本発明の実施の形態１における食器洗い機の第３の回転洗浄ノズルの導水路出口からの取り外しの説明図（ｂ）本発明の実施の形態１における食器洗い機の第３の回転洗浄ノズルの導水路出口への取り付けの説明図
【図１９】本発明の実施の形態１における食器洗い機の第３の回転洗浄ノズルの回転洗浄ノズル導水路と導水路出口との接続部の縦断面図
【図２０】本発明の実施の形態１における食器洗い機の固定洗浄ノズルを示す要部斜視図
【図２１】本発明の実施の形態１における食器洗い機の上食器かごおよび第３の回転洗浄ノズルが取り外された状態での使用状態を示す説明図
【図２２】本発明の実施の形態１における食器洗い機の第３の回転洗浄ノズルが取り外された状態での使用状態を示す説明図
【図２３】本発明の実施の形態２における食器洗い機の固定洗浄ノズルを示す要部斜視図
【図２４】本発明の実施の形態３における食器洗い機の垂直回転洗浄ノズルが取り付けられた状態を示す正面断面図
【発明を実施するための形態】
【００１２】
第１の発明の食器洗い機は、本体と、前記本体内に設けられた洗浄槽と、前記洗浄槽内に配設され、被洗浄物が収容される食器かごと、前記洗浄槽に溜められた洗浄水を循環させる洗浄ポンプと、前記洗浄槽に設けられた導水路および導水路出口と、洗浄水を噴射する洗浄ノズルとを備え、少なくとも１つの前記導水路出口において、噴射形態が異なる複数の洗浄ノズルのいずれかが設けられ、前記複数の洗浄ノズルのうちのいずれかから洗浄水を噴射できるように切換可能に構成されたものである。
【００１３】
この構成によって、少なくとも１つの導水路出口において、食器かごに収容された被洗浄物に対し、適切に洗浄ノズルを切り換え、被洗浄物に応じた効果的な洗浄が行えるとともに、大皿等の大きな食器や鍋等の大きな調理器具等の大きな被洗浄物に対しても充分に洗浄水を供給することができる、高い洗浄性能を有する食器洗い機を提供することができる。
【００１４】
第２の発明の食器洗い機は、本体と、前記本体内に設けられた洗浄槽と、前記洗浄槽内に配設され、被洗浄物が収容される食器かごと、前記洗浄槽に設けられた導水路および導水路出口と、前記導水路出口に洗浄ノズル導水路を介して連通する洗浄ノズルと、前記洗浄槽に溜められた洗浄水を前記洗浄ノズルに送水する洗浄ポンプとを備え、前記洗浄ノズル導水路は、前記導水路出口に着脱可能に構成されたものである。
【００１５】
この構成によって、食器かごに収容された被洗浄物に対し、適切に洗浄ノズルを切り換え、被洗浄物に応じた効果的な洗浄が行えるとともに、大皿等の大きな食器や鍋等の大きな調理器具等の大きな被洗浄物に対しても充分に洗浄水を供給することができる、高い洗浄性能を有する食器洗い機を提供することができる。
【００１６】
第３の発明は、特に、第２の発明において、前記導水路出口に固定洗浄ノズルが設けられ、前記洗浄ノズル導水路は、前記固定洗浄ノズルに被せるようにして前記導水路出口に着脱自在に構成されたものである。この構成によって、洗浄ノズル導水路の着脱という簡単な操作によって異なる洗浄ノズルに切り換えることができ、高い洗浄効果を有するとともに、使い勝手の良い食器洗い機を提供することができる。
【００１７】
第４の発明は、特に、第１〜第３のいずれかの発明において、前記洗浄ノズルは、噴射口が固定された固定洗浄ノズルまたは噴射口が回転する回転洗浄ノズルである。この構成によって、食器かごに収容された被洗浄物に応じて適切な形態の洗浄ノズルに切り換えることによって、高い洗浄効果を得ることができる。
【００１８】
第５の発明は、特に、第４の発明において、前記回転洗浄ノズルは、前記洗浄ノズル導水路の先端部に、上面に複数の噴射孔を有する回転自在なアーム部を有し、前記導水路出口に固定洗浄ノズルが設けられ、前記洗浄ノズル導水路は、前記固定洗浄ノズルに被せるようにして前記導水路出口に着脱自在に構成されたものである。この構成によって、洗浄ノズル導水路の着脱という簡単な操作によって回転洗浄ノズルまたは固定洗浄ノズルに切り換えることができ、高い洗浄効果を有するとともに、使い勝手の良い食器洗い機を提供することができる。
【００１９】
第６の発明は、特に、第３〜第５のいずれかの発明において、前記固定洗浄ノズルは、洗浄水を所定方向に分散して噴射するように形成されたものである。この構成によって、洗浄水を広範囲に満遍なく噴射させ、洗浄槽内の広範囲に収容された被洗浄物を効果的に洗浄することができる。
【００２０】
第７の発明は、特に、第６の発明において、前記固定洗浄ノズルは、円周上に配設された複数の噴射孔によって構成され洗浄水を放射状に噴射する放射噴射孔と、前記円周の略中心に設けられ洗浄水を前方に噴射する前方噴射孔とを有するものである。この構成によって、洗浄水を広範囲に満遍なく噴射させ、洗浄槽内の広範囲に収容された被洗浄物を効果的に洗浄するとともに、前方に収容された深型の鍋やボウルに向けて集中して強力に洗浄水を噴射させ、効果的に洗浄することができる。
【００２１】
第８の発明は、特に、第２〜第７のいずれかの発明において、前記洗浄ノズル導水路は、水平方向に直線的に着脱可能に構成されたものである。この構成によって、使用者は、前記回転洗浄ノズルの取り外しおよび取り付けを、食器かごを洗浄槽内に収納した状態でも行うことができ、使い勝手の良い食器洗い機を提供することができる。
【００２２】
第９の発明は、特に、第２〜第８のいずれかの発明において、前記導水路出口に前記洗浄ノズル導水路が装着された状態において、前記洗浄ノズル導水路と前記導水路出口の双方に設けられた壁面がラビリンス構造を成すことによって、水密に構成されるものである。この構成によって、消耗部品であるＯリング等のシール部材を使用せずに水密性を実現することにより、頻繁に着脱される洗浄ノズル導水路と導水路出口との間の水密性を長期に亘り安定して維持することができる。
【００２３】
第１０の発明は、特に、第１〜第９のいずれかの発明において、前記導水路出口より上方に設けられた食器かごは、上下に移動して高さ位置を調節可能に構成されたものである。この構成によって、大きい調理器具を収容できるとともに、上方の食器かごも活用でき、さらに使い勝手のよいものとなる。
【００２４】
以下、本発明の実施の形態について、図面を参照しながら説明する。なお、この実施の形態によって本発明が限定されるものではない。
【００２５】
（実施の形態１）
図１は、本発明の実施の形態１における食器洗い機の上扉体および下扉体が開かれた状態の正面外観斜視図である。図２は、本発明の実施の形態１における食器洗い機の背面外観斜視図である。図３は、本発明の実施の形態１における食器洗い機の正面図である。図４は、本発明の実施の形態１における食器洗い機の要部正面断面図である。図５は、本発明の実施の形態１における食器洗い機の上扉体および下扉体が閉じられた状態の側壁部断面図である。図６は、本発明の実施の形態１における食器洗い機の上扉体および下扉体が開かれた状態の側面図である。図７は、本発明の実施の形態１における食器洗い機の上食器かごの構成を示す斜視図である。図８は、本発明の実施の形態１における食器洗い機の下食器かごの構成を示す斜視図である。
【００２６】
図１〜図６に示されるように、食器洗い機の本体１の内部には、樹脂製の洗浄槽２が設けられている。洗浄槽２の前面には、食器等の被洗浄物６が出し入れされる開口部３が設けられている。開口部３の上部と下部をそれぞれ上扉体４と下扉体５によって開閉するよう構成されている。
【００２７】
開口部３の周囲の前面には、例えばシリコンゴム等の弾性体からなるシール部材９が取り付けられている。シール部材９と、上扉体４に設けられた上扉体シール受け部（図示せず）と、下扉体５に設けられた下扉体シール受け部（図示せず）とによって、開口部３のシール部が構成されている。上扉体４の下端部には扉体間シール部材６８（図示せず）が取り付けられており、上扉体４と下扉体５とが閉じられたとき、上扉体４の下端部と下扉体５の上端部との間のシール性が確保されるよう構成されている。
【００２８】
上扉体４と下扉体５は、洗浄槽２の左右の外側壁に設けられた一対の扉体開閉機構１０によって連動して回動されて開閉される。上扉体４と下扉体５は、開口部３の前側下方にその内面が上向きで略水平となる位置まで開成されるよう構成されている。上扉体４と下扉体５は、開成されたとき、上扉体４が下扉体５の上に重なるように位置する。
【００２９】
下扉体５の前面には、扉体オープンボタン１１が設けられている。上扉体４および下扉体５を開口部３に閉成された状態で洗浄槽２にロックする扉体ロック装置１２が、洗浄槽２の外側壁に設けられている。使用者が扉体オープンボタン１１を押し込むと、扉体ロック装置１２はロックが解除され、下扉体５が下端部を中心に少し回動され、上端部が、使用者の指が掛けられる程度前方に開かれるよう構成されている。なお、上扉体４および下扉体５を開く方式は、開放方向への付勢力によって自動で開成状態まで開かれるような方式であってもよい。
【００３０】
下扉体５の前面に、操作表示部１３が設けられている。操作表示部１３は、食器洗い機の運転を制御する制御部（図示せず）と電気的に接続されており、制御部と運転に関する情報をやりとりする。制御部は、洗い工程、すすぎ工程および乾燥工程を制御し、被洗浄物６の洗浄運転を実行する。使用者は、操作表示部１３を操作して、運転コースの選択および洗浄、すすぎ、乾燥の時間や回数等の条件を入力する。また、使用者は、操作表示部１３に表示される情報によって、選択された運転コースや運転状況の確認を行うことができる。
【００３１】
洗浄槽２の内部には、食器等の被洗浄物６がセットされる上食器かご７および下食器かご８が収納されている。上食器かご７および下食器かご８は、いずれも洗浄槽２の左右の内側面２ａ、２ｂに設けられた上食器かごガイドレール７１および下食器かごガイドレール８１によって、前後方向に個別に移動可能に支持されている。上食器かご７および下食器かご８は、上扉体４と下扉体５が開成されたとき、洗浄槽２の前面の開口部３より前方に引き出すことが可能である。また、上食器かご７および下食器かご８は、それぞれ上食器かごガイドレール７１および下食器かごガイドレール８１から取り外し可能である。なお、本実施の形態において、食器かごは、上下２段に構成されているが、これに限られるものではなく、１段でも３段以上でもよい。
【００３２】
図７に示されるように、上食器かご７は、上食器かご本体７７と、上食器かご本体７７の左側に載置される第１のセットかご７８と、上食器かご本体７７の右側に載置される第２のセットかご７９と、上食器かご本体７７の左右に固定される側面部材７３とから構成されている。第１のセットかご７８は、着脱可能ではあるが、通常、上食器かご本体７７に取り付けられて使用される。
【００３３】
図８に示されるように、下食器かご８は、下食器かご本体８７と、下食器かご本体８７の左側に載置される第３のセットかご８８と、下食器かご本体８７の中央やや右寄りに載置される小物入れ８９と、下食器かご本体８７の左右に固定される側面部材８３とから構成されている。第３のセットかご８８は、着脱可能ではあるが、通常、下食器かご本体８７に取り付けられて使用される。
【００３４】
洗浄槽２の内部に洗浄水を供給する給水部が備えられている。給水部は、本体１に設けられた給水弁（図示せず）と、給水弁と洗浄槽２とを接続する内部給水配管と、給水弁と水道水配管とを接続する給水ホース９６とによって構成されている。制御部が、洗浄槽２の内部と連通する水位センサ（図示せず）からの情報に基づいて給水弁を制御し、洗浄工程およびすすぎ工程において、洗浄槽２の内部に所定量の洗浄水を供給する。
【００３５】
図４に示されるように、洗浄槽２内の下部に、複数設けられた噴射孔から洗浄水を噴射する第１の回転洗浄ノズル１４および第２の回転洗浄ノズル１５が配設されている。なお、下部に設けられた洗浄ノズルは、回転洗浄ノズルに限られるものではなく、固定された洗浄ノズルでもよい。洗浄槽２の内部の背面には、洗浄槽２の内壁に沿わせてほぼ十字形状の導水路１６が配設されている。導水路１６は、扁平な筒状に形成されており、洗浄槽２の内部スペースを広く確保している。なお、本実施の形態１において、導水路１６は、洗浄槽２の内側に設けられているが、外側に設けられてもよい。
【００３６】
導水路１６の上部には、複数の噴射孔から洗浄水を噴射する垂直部位１６ａが延設されている。上食器かご７より低い高さで、導水路１６の右側には、複数の噴射孔を備えた第１の水平部位１６ｂが延設されている。上食器かご７より低い高さで、導水路１６の左側には、第２の水平部位１６ｃが延設されている。垂直部位１６ａ、第１の水平部位１６ｂおよび第２の水平部位１６ｃは、洗浄ポンプ２２によって圧送される洗浄水をそれぞれに備えられた複数の噴射孔に導く導水路である。なお、図示しない分水部が設けられており、導水路１６は、垂直部位１６ａおよび第１の水平部位１６ｂに洗浄水を導く導水路１６Ｒと、第２の水平部位１６ｃに洗浄水を導く導水路１６Ｌとを有している。
【００３７】
第２の水平部位１６ｃの先端部には、導水路出口１６ｄが備えられている。この１つの導水路出口１６ｄにおいて、少なくとも噴射形態が異なる複数の洗浄ノズルのいずれかが設けられ、複数の洗浄ノズルのいずれかから洗浄水を噴射できるように切換可能に構成されている。本実施の形態では、回転洗浄ノズルと固定洗浄ノズルを切換可能に構成した場合を一例として以下に説明する。
【００３８】
第３の回転洗浄ノズル１７が、導水路出口１６ｄに連通させて接続されている。第３の回転洗浄ノズル１７は、前方へ延設された円筒形状の洗浄ノズル導水路１７ａと、洗浄ノズル導水路１７ａの先端部に設けられた回転自在なアーム部１７ｂとを有している。第３の回転洗浄ノズル１７は、上食器かご７の左側下方に配設されている。第３の回転洗浄ノズル１７のアーム部１７ｂは、洗浄水を噴射する複数の噴射孔を上面に備え、上食器かご７の左側に収容された被洗浄物６に向けて、すぐ真下から回転しながら洗浄水を噴射する。
【００３９】
第３の回転洗浄ノズル１７は、洗浄ノズル導水路１７ａを介して導水路出口１６ｄに着脱自在に接続されている。洗浄ノズル導水路１７ａは、基部に設けられた係止部１７ｃを係止解除することにより、導水路出口１６ｄから取り外すことができる。第３の回転洗浄ノズル１７が取り外された後の導水路出口１６ｄには、固定洗浄ノズル６１が設けられている（図４では図示せず、図１６参照）。第３の回転洗浄ノズル１７が導水路出口１６ｄから取り外されることにより、洗浄水を噴射できるノズルは、第３の回転洗浄ノズル１７から固定洗浄ノズル６１に切り換えられる。逆に、洗浄ノズル導水路１７ａが、固定洗浄
ノズル６１に被せるようにして導水路出口１６ｄに取り付けられることにより、洗浄水を噴射できるノズルは、固定洗浄ノズル６１から第３の回転洗浄ノズル１７に切り換えられる。
【００４０】
洗浄槽２内に収容された被洗浄物６に向けて、第１の回転洗浄ノズル１４、第２の回転洗浄ノズル１５、導水路１６Ｒに設けられた複数の噴射孔、および導水路１６Ｌに連通された第３の回転洗浄ノズル１７もしくは固定洗浄ノズル６１から洗浄水が順番に噴射されることにより、被洗浄物６は洗浄される。
【００４１】
図５に示されるように、すすぎ後の被洗浄物６を乾燥させる乾燥装置３０が洗浄槽２の外側部に設けられている。乾燥装置３０は、ヒータ（図示せず）、ファン３１、空気温度センサ（温度センサ２９）、送風配管３２等によって構成されている。これらの構成については、よく知られたものと同様であるので、詳しい説明は省略する。乾燥装置３０の送風配管３２は、一端が洗浄槽２内の右奥下部に設けられた乾燥用空気吹出口２ｃに連通されており、他端が洗浄槽２の右奥上端部の外側に近接させて開放されている。ファン３１は、送風配管３２の上記他端の近傍に配設されている。
【００４２】
この構成により、ファン３１によって機外から吸引された乾燥用空気は、ヒータによって加熱された後、乾燥用空気吹出口２ｃから洗浄槽２の内部に送り込まれ、被洗浄物６を乾燥させる。被洗浄物６の表面から除去された水分を含んだ湿った空気は、本体１の上面に設けられた排気口３３から機外に排出される。空気温度センサ（温度センサ２９）は、洗浄槽２の底部の乾燥用空気吹出口２ｃに近い位置の外壁に設置されている。
【００４３】
洗浄槽２の水溜部１８の構成を、図を参照して説明する。
【００４４】
図９は、本発明の実施の形態１における食器洗い機の洗浄槽の水溜部および排水口の構成を示す上面断面図である。図１０は、図９の状態から水溜部蓋および残菜フィルタが取り除かれた状態の上面断面図である。図１１は、図９のＡ−Ａ断面斜視図である。図１２は、本実施の形態１における食器洗い機の残菜フィルタに関連する部分の分解斜視図である。図１３は、図９のＢ−Ｂ断面図である。図１４は、図９のＣ−Ｃ断面斜視図である。
【００４５】
洗浄槽２の底部には、洗浄工程およびすすぎ工程において、供給された洗浄水が溜められる水溜部１８が凹設されている。水溜部１８は、洗浄槽２の底部に開口する開口部１８ａが横長の概略長方形に形成され、その開口部１８ａから所定深さほぼ垂直に凹設されている。水溜部１８は、洗浄槽２の左右のほぼ中央の前部に設けられている。
【００４６】
水溜部１８のほぼ中央部には、さらに一段低い凹部が設けられている。その凹部に、排水口１９が設けられている。水溜部１８の底面は、排水口１９に向かってゆるやかに下り傾斜に形成されている。
【００４７】
水溜部１８の上部の開口部１８ａには、水溜部蓋２０が、洗浄槽２の底部と連続するように着脱自在に嵌め込まれている。水溜部蓋２０は、外周形状が水溜部１８の開口部１８ａと対応する横長の概略長方形に形成され、中央部が凹設されて凹部２０ａが形成されている。凹部２０ａの中央には、円形の開口２０ｂが設けられている。水溜部蓋２０が水溜部１８の開口部１８ａに装着されたとき、凹部２０ａは、排水口１９の直上に位置する。
【００４８】
排水口１９には、残菜を捕集する残菜フィルタ２３が配設されている。残菜フィルタ２３は、水溜部蓋２０の凹部２０ａの下面より下方に配設されている。そして、排水口１９に残菜フィルタ２３が取り付けられたとき、凹部２０ａの下面は、中央の円形の開口２０ｂと残菜フィルタ２３の第１のフィルタ５１の外縁部上面とが連続するように構成されて
いる。
【００４９】
水溜部蓋２０は、凹部２０ａの傾斜面以外の平面の大部分にきわめて小さな複数の孔２０ｄが設けられている。洗浄水の多くは、この孔２０ｄから水溜部１８に落下する。この孔２０ｄから落下しなかった洗浄水は、残菜とともに凹部２０ａの下面に配設された残菜フィルタ２３に流入する。
【００５０】
図１１に示されるように、排水口１９は、中央に位置する機外排水口４１と、その周囲に機外排水口４１とは隔離して設けられた中空円環状の循環排水口４２とによって構成されている。機外排水口４１は、排水ポンプ２７の吸い込み側に連通し、洗浄水が機外に排出される。循環排水口４２は、洗浄ポンプ２２の吸い込み側に連通し、洗浄水が洗浄槽２内に噴射される。
【００５１】
図１２に示されるように、残菜フィルタ２３は、外周部を形成する第１のフィルタ５１と、第１のフィルタ５１の内側に配設される第２のフィルタ５２によって構成されている。排水口１９に取り付けられる状態においては、第２のフィルタ５２が第１のフィルタ５１の内側に挿入され、係止されて一体化され、第１のフィルタ５１が排水口１９に係止されて固定されている。
【００５２】
第１のフィルタ５１は、底の無い略円筒状に形成されている。円筒状の外周部５１ａは、ステンレス等の金属板で、洗浄水が双方向に流通可能な多数の孔５１ｂがメッシュ状に形成されている。
【００５３】
第２のフィルタ５２は、樹脂材料で有底略円筒状の手桶形状に形成されている。有底略円筒状に形成された本体部５２ａの外周部５２ｂの上面から、上方に伸びる１本の把手部５２ｃが形成されている。把手部５２ｃは、第２のフィルタ５２を第１のフィルタ５１に対し着脱する際に、使用者が手で持って上下方向に操作する。把手部５２ｃは、第１のフィルタ５１と第２のフィルタ５２が一体となった状態で排水口１９対し着脱される際に、使用者が手で持って水平に回転させるように操作する。
【００５４】
第２のフィルタ５２が第１のフィルタ５１の内側に挿入され一体化された状態において、第２のフィルタ５２の外周部５２ｂの外面は、第１のフィルタ５１の外周部５１ａの内面に対向している。第２のフィルタ５２の本体部５２ａの外周部５２ｂには、洗浄水が双方向に流通可能な多数の孔５２ｄが設けられている。この孔５２ｄは、第１のフィルタ５１の孔５１ｂより大きく設定されている。
【００５５】
図１３に示されるように、排水口１９は、洗浄水循環経路２１を通じて洗浄ポンプ２２の吸い込み側に連通している。洗浄工程およびすすぎ工程において、洗浄水は、水溜部蓋２０の孔２０ｄを通過したり、残菜フィルタ２３を通過したりして水溜部１８および排水口１９に溜まる。水溜部１８および排水口１９に溜まった洗浄水は、洗浄ポンプ２２に吸い込まれて加圧され、分水部（図示せず）によって送水先が選択され、順番に送水される。
【００５６】
分水されて送水される洗浄水は、第１の回転洗浄ノズル１４、第２の回転洗浄ノズル１５、導水路１６Ｒに設けられた複数の噴射孔、導水路１６Ｌに連通された第３の回転洗浄ノズル１７に順番に供給され、各ノズルの噴射孔から噴射される。噴射された洗浄水は、被洗浄物６を洗浄もしくはすすぎ、再び水溜部１８および排水口１９に戻る。このようにして、洗浄工程もしくはすすぎ工程において、洗浄水は循環される。
【００５７】
洗浄ポンプ２２にはヒータ２５が内設されている。循環される洗浄水は、ヒータ２５に
通電されることにより、必要に応じて適宜加熱される。また、洗浄水の温度を検知する温度センサ２９が、洗浄槽２の底部の外壁に設置されている。温度センサ２９が設置される洗浄槽２の底部の外壁部分は、洗浄槽２の内側に膨出されている。その膨出部２ｅの内部に温度センサ２９を配設することにより、温度センサ２９の検出感度を向上させている。制御部は、温度センサ２９の検知情報に基づいて、ヒータ２５の通電を制御する。温度センサ２９は、サーミスタ等により構成されている。なお、温度センサ２９は、乾燥工程において洗浄槽２内の空気の温度を検知する空気温度センサも兼ねている。
【００５８】
また、図１４に示されるように、排水口１９は、排水経路２６を通じて排水ポンプ２７の吸い込み側に連通している。さらに、排水経路２６は、機外の排水ホース９７の接続口まで連通している。洗浄工程およびすすぎ工程が完了して排水される洗浄水は、排水ポンプ２７によって排水経路２６から排水ホース９７を経由して食器洗い機の外部に排出される。
【００５９】
次に、第３の回転洗浄ノズル１７の導水路出口１６ｄに対する着脱自在な構成を、図を参照して説明する。
【００６０】
図１５（ａ）は、本発明の実施の形態１における食器洗い機の第３の回転洗浄ノズルが取り付けられた状態を示す正面断面図である。図１５（ｂ）は、第３の回転洗浄ノズルが取り付けられた状態を示す要部斜視図である。図１６（ａ）は、本発明の実施の形態１における食器洗い機の第３の回転洗浄ノズルが取り外された状態を示す正面断面図である。図１６（ｂ）は、第３の回転洗浄ノズルが取り外された状態を示す要部斜視図である。図１７は、第３の回転洗浄ノズルの洗浄ノズル導水路と導水路出口との接続部の横断面図である。図１８（ａ）（ｂ）は、第３の回転洗浄ノズルの導水路出口からの取り外しおよび取り付けの説明図である。図１９は、第３の回転洗浄ノズルの洗浄ノズル導水路と導水路出口との接続部の縦断面図である。
【００６１】
図１５〜図１７に示されるように、洗浄ノズル導水路１７ａの導水路出口１６ｄへの接続部の外周部に、係止部１７ｃが水平方向に左右一対設けられている。係止部１７ｃは、奥行き方向に長い棒状に形成され、先端に爪部を有している。係止部１７ｃの棒状部は弾性を有しており、基部を固定部として爪部側が外側に変形可能である。一方、導水路出口１６ｄの外周部には、係止部１７ｃの先端の爪部に対応させて係止部１６ｅが水平方向に左右一対設けられている。
【００６２】
洗浄ノズル導水路１７ａの導水路出口１６ｄへの接続部の外周部の上部に、突起部１７ｄが後方に突出させて設けられている。導水路出口１６ｄの外周部の上部には、前方に開口部を有する溝部１６ｆが設けられている。第３の回転洗浄ノズル１７が導水路出口１６ｄに取り付けられた状態で、突起部１７ｄが溝部１６ｆに嵌合されることにより、第３の回転洗浄ノズル１７のアーム部１７ｂが水平面内で回転するよう位置規制されるとともに、第３の回転洗浄ノズル１７の周方向の回転が抑止される構成である。
【００６３】
図１８（ａ）に示されるように、使用者が洗浄ノズル導水路１７ａの係止部１７ｃを左右に引き開き、係止部１７ｃの先端の爪部を導水路出口１６ｄの係止部１６ｅから外し、前方に引き出す。これにより、第３の回転洗浄ノズル１７を導水路出口１６ｄから取り外すことができる。
【００６４】
また、図１８（ｂ）に示されるように、使用者が洗浄ノズル導水路１７ａの突起部１７ｄを導水路出口１６ｄの溝部１６ｆに合わせて洗浄ノズル導水路１７ａを前方から押し込む。これにより、係止部１７ｃは、棒状部が弾性変形して先端の爪部が導水路出口１６ｄの係止部１６ｅを乗り越え、係止部１６ｅに係止される。このようにして、第３の回転洗
浄ノズル１７を導水路出口１６ｄに、アーム部１７ｂを水平状態にして取り付けることができる。
【００６５】
洗浄ノズル導水路１７ａの導水路出口１６ｄに対する取り外しおよび取り付け作業は、回転動作を伴わない前後方向の直線的な動作によって行われる。したがって、使用者は、第３の回転洗浄ノズル１７の取り外しおよび取り付けを、上食器かご７を洗浄槽２内に収納した状態でも行うことができる。
【００６６】
図１９に示されるように、洗浄ノズル導水路１７ａが導水路出口１６ｄに取り付けられた状態では、洗浄ノズル導水路１７ａの導水路出口１６ｄへの接続部の外周壁１７ｅ、１７ｆと導水路出口１６ｄの外周壁１６ｇ、１６ｈ、１６ｉとによってラビリンス構造とすることにより、洗浄ノズル導水路１７ａと導水路出口１６ｄとの間の水密性が確保され、水漏れが抑制されている。なお、ラビリンス構造の替わりにＯリング等のシール部材が用いられてもよい。
【００６７】
第３の回転洗浄ノズル１７が取り外された位置の導水路出口１６ｄには、固定洗浄ノズル６１が設けられている。固定洗浄ノズル６１の構成を、図２０を用いて説明する。
【００６８】
図２０に示されるように、固定洗浄ノズル６１は、円周状に配設された複数の噴射孔（本実施の形態では４個）によって構成される放射噴射孔６２と、放射噴射孔６２の複数の噴射孔が配設された円周の略中心位置に設けられた前方噴射孔６３とを有している。放射噴射孔６２および前方噴射孔６３は、導水路出口１６ｄの外周壁１６ｇ、１６ｈ、１６ｉより内側に設けられている。放射噴射孔６２は、洗浄水を放射状に広範囲に満遍なく噴射させる（図中に矢印Ａで表示）。前方噴射孔６３は、洗浄水を前方に集中させて強力に噴射させる（図中に矢印Ｂで表示）。
【００６９】
固定洗浄ノズル６１は、上記の噴射孔構成により、下食器かご８に大皿や鍋等のサイズが大きい被洗浄物６が収容された場合に、被洗浄物６に向けて満遍なくかつ強力に洗浄水を噴射させることができる。特に、内側が洗浄しづらい深型の鍋やボウルは、内側を奥方向に向けて下食器かご８にセットすれば、従来の食器洗い機に較べ格段に効果的に洗浄することができる。
【００７０】
第３の回転洗浄ノズル１７が導水路出口１６ｄに接続されているとき、固定洗浄ノズル６１は、洗浄ノズル導水路１７ａに内蔵された状態になる。そして、放射噴射孔６２および前方噴射孔６３は、第３の回転洗浄ノズル１７への洗浄水送出孔として作用している。放射噴射孔６２だけでは、第３の回転洗浄ノズル１７へ送られる洗浄水の流量、流速ともに不足がちであり、第３の回転洗浄ノズル１７から噴射される洗浄水の量および噴射圧が不足がちとなる。放射噴射孔６２に加えて前方噴射孔６３を設けることにより、固定洗浄ノズル６１としての広範囲かつ強力な洗浄性能を保持するとともに、第３の回転洗浄ノズル１７へ送られる洗浄水の流量、流速を増加させ、第３の回転洗浄ノズル１７から噴射される洗浄水の量および噴射圧を増大させ、必要な洗浄性能を確保している。
【００７１】
以上のように構成された食器洗い機について、その動作および作用を説明する。
【００７２】
使用者が下扉体５の扉体オープンボタン１１を押し込む。次いで、使用者が下扉体５の上端部に手を掛け前方下方に引くことによって、上扉体４と下扉体５は、上扉体４が下扉体５の上に重なった状態で、ほぼ水平状態まで開成され、洗浄槽２の前面の開口部３は前方に開放される。
【００７３】
使用者は、開放された洗浄槽２の開口部３から下食器かご８を前方に引き出し、洗浄し
たい被洗浄物６を下食器かご８にセットする。下食器かご８に被洗浄物６のセッティングが終了すると、使用者は、下食器かご８を洗浄槽２内に押し込み収容する。
【００７４】
次に、使用者は、上食器かご７を前方に引き出し、洗浄したい被洗浄物６を上食器かご７にセットする。上食器かご７に被洗浄物６のセッティングが終了すると、使用者は、上食器かご７を洗浄槽２内に押し込み収容する。
【００７５】
なお、下食器かご８に収容する被洗浄物６が、大皿やラーメン鉢等の大きい食器であったり、鍋やボウル等の大きい調理器具であったりする場合は、上食器かご７および第３の回転洗浄ノズル１７を取り外す。図２１は、上食器かご７および第３の回転洗浄ノズル１７が取り外された状態での使用状態を示す説明図である。図２１に示されるように、底が深い鍋等の大きい被洗浄物６は、内面を奥側すなわち背面の導水路出口１６ｄに設けられた固定洗浄ノズル６１に向けて下食器かご８にセットされることが望ましい。これにより、洗浄しづらい深型の鍋等の内面を集中的かつ強力に洗浄することができる。
【００７６】
下食器かご８に収容される被洗浄物６の大きさによっては、上食器かご７を残し、第３の回転洗浄ノズル１７のみ取り外してもよい。図２２は、上食器かご７を残し、第３の回転洗浄ノズル１７のみ取り外された状態での使用状態を示す説明図である。上食器かご７の高さ位置が上下に移動し、通常より高い位置に調節可能に、上食器かご７および上食器かごガイドレール７１が構成されている。このように構成されていれば、大きい調理器具を収容できるとともに、上食器かご７も活用でき、さらに使い勝手のよいものとなる。図２２に示されるように、下食器かご８に外が深い鍋等の大きい被洗浄物６がセットされても、焼き魚等に使用される浅い皿や、長さが長いため小物入れ８９にセットしづらい菜箸等の長い箸やフライ返しを横向けにして上食器かご７にセットして洗浄することができる。
【００７７】
下食器かご８および上食器かご７に被洗浄物６がセットされ、洗浄槽２内に収容されると、使用者は、適量の洗剤を下食器かご８に設けられた洗剤投入部９０から洗浄槽２の水溜部１８に投入し、上扉体４および下扉体５を閉じる。使用者は、操作表示部１３によって電源を投入し、運転コースおよび時間等の条件を入力し、スタートボタンを押す。すると、制御部は、食器洗い機の運転を開始し、入力された条件にしたがって洗浄工程、すすぎ工程、乾燥工程を順に実行する。
【００７８】
まず、給水弁が動作して、所定量の洗浄水が洗浄槽２内に給水される。給水弁が停止し、給水が終わると、洗浄ポンプ２２が駆動される。洗浄水はヒータ２５によって加熱され、洗浄ポンプ２２によって加圧されて、分水部から第１の回転洗浄ノズル１４、第２の回転洗浄ノズル１５、導水路１６Ｒに設けられた複数の固定洗浄ノズル、および導水路１６Ｌに連通された第３の回転洗浄ノズル１７に選択的に分水されて送水される。
【００７９】
分水部は、例えば、第１の回転洗浄ノズル１４、第２の回転洗浄ノズル１５、導水路１６Ｒに設けられた複数の固定洗浄ノズル、および導水路１６Ｌに連通した第３の回転洗浄ノズル１７の順に所定時間毎に洗浄水の送水を切り替えるように動作する。
【００８０】
第１の回転洗浄ノズル１４、第２の回転洗浄ノズル１５および第３の回転洗浄ノズル１７は、送給された洗浄水がそれぞれの噴射孔から噴出される際の反力によって回転する。これにより、回転移動する洗浄水が噴射され、下食器かご８および上食器かご７に収容された被洗浄物６は効率よく洗浄される。
【００８１】
導水路１６Ｒの垂直部位１６ａに設けられた噴射孔は、洗浄水を上食器かご７の上方から噴射して上食器かご７に収容されたコップ等の被洗浄物６の外面を効率よく洗浄する。
また、上食器かご７の下に設けられた第１の水平部位１６ｂに配列された噴射孔は、洗浄水を主に上食器かご７の右側に噴射し、上食器かご７の第２のセットかご７９に斜め下向きに収容されたコップ等の被洗浄物６の内面を効率よく洗浄する。
【００８２】
さらに、導水路１６Ｌと連通した第３の回転洗浄ノズル１７は、上食器かご７の左側の第１のセットかご７８の直下から回転移動する洗浄水を噴射することにより、第１のセットかご７８に収容された茶碗等の被洗浄物６の内外面を効率よく洗浄する。
【００８３】
洗浄槽２内で、これらの洗浄ノズルから噴射された洗浄水は、被洗浄物６を洗浄して洗浄槽２の下部の水溜部１８に流下し、排水口１９に集められる。そして、再び洗浄ポンプ２２によって吸引され、残菜フィルタ２３を通過し、ヒータ２５によって加熱され、再び各洗浄ノズルに送給される。
【００８４】
洗浄水が噴射されて被洗浄物６から脱落した残菜は、水溜部蓋２０および残菜フィルタ２３によって捕集される。また、洗浄水の温度は温度センサ２９によって検出されており、洗浄水の温度が所定温度を超えるとヒータ２５への通電が停止される。これによって、洗浄水は、常に洗浄に適した温度に維持される。
【００８５】
所定時間の洗浄工程が終了すると、汚れを含む洗浄水は排水ポンプ２７によって機外に排出され、洗浄槽２内に新たに洗浄水が給水される。給水された洗浄水は洗浄ポンプ２２によって加圧され、第１の回転洗浄ノズル１４、第２の回転洗浄ノズル１５、導水路１６Ｒに設けられた複数の噴射孔、および導水路１６Ｌに連通された第３の回転洗浄ノズル１７に送給される。送給された洗浄水は、各洗浄ノズルの噴射孔から噴射され、被洗浄物６に付着した洗剤や残菜等を洗い流すすすぎ工程が実行される。
【００８６】
このすすぎ工程は、所定時間、すすぎ動作が行われた後、すすぎ動作によって被洗浄物６から洗剤や残菜が洗い出された洗浄水は、排水ポンプ２７によって機外に排出される。そして、洗浄槽２内には新たな洗浄水が給水され、再びすすぎ動作が行われる。標準設定では、このすすぎ動作が３回実行され、洗浄水が排水ポンプ２７によって機外に排出されて、すすぎ工程は終了する。
【００８７】
ここで、洗浄およびすすぎ動作時の残菜フィルタ２３および排水口１９まわりの洗浄水の流れについて、図１３および図１４を参照して説明する。
【００８８】
洗浄およびすすぎ動作時においては、水溜部１８に溜まった洗浄水は、洗浄ポンプ２２によって吸引され、図１３に示されるように、循環排水口外郭４７の上面４７ａに設けられた多数の孔から成る洗浄水循環吸込口４８から洗浄水循環経路２１に吸い込まれる。洗浄水循環吸込口４８は、残菜フィルタ２３より外側に円周状に設けられている。
【００８９】
この構成によって、洗浄およびすすぎ動作時においては、洗浄水は、概ね矢印Ｃで表示されたように流れる。洗浄水は、第１のフィルタ５１の孔５１ｂおよび第２のフィルタ５２の孔５２ｄにおいて、概ね内側から外側に向かって流れる。
【００９０】
このとき、循環される洗浄水に含まれる残菜や汚れは、大きい残菜は第２のフィルタ５２によって捕集され、細かい残菜および汚れは第１のフィルタ５１によって捕集される。
【００９１】
一方、排水動作時においては、水溜部１８に溜まった洗浄水は、排水ポンプ２７によって吸引され、図１４に示されるように、機外排水口４１の洗浄水排水吸込口４５から排水経路２６に吸い込まれる。洗浄水排水吸込口４５は、残菜フィルタ２３よりほぼ下側かつ内側に円周状に設けられている。排水直前の状態では、残菜フィルタ２３の外周部まわり
の水溜部１８に存在する洗浄水の量は、残菜フィルタ２３の直上部に存在する洗浄水の量より多い。
【００９２】
この構成によって、排水動作時においては、洗浄水は、概ね矢印Ｄで表示されたように流れる。洗浄水は、第１のフィルタ５１の孔５１ｂおよび第２のフィルタ５２の孔５２ｄにおいて、概ね外側から内側に向かって流れる。したがって、洗浄およびすすぎ時に第１のフィルタ５１の内周面に付着した汚れおよび細かい残菜は、外側から内側へと流れる洗浄水（排水される洗浄水）によって洗い落とされ、排水される洗浄水とともに機外へ排出される。
【００９３】
すすぎ工程が終了すると、乾燥工程が実行される。乾燥装置３０が動作し、内蔵されたファン３１によって洗浄槽２内に送給される外気がヒータによって加熱され、送風と加温との両方の効果によって、被洗浄物６に付着した水滴の蒸発が行われる。この乾燥が所定時間実施された後、乾燥装置３０の運転が停止されて乾燥工程が終了する。被洗浄物６の洗浄のすべての工程が終了し、選択された運転コースの実行が終了する。
【００９４】
以上のように、本実施の形態における食器洗い機は、本体１と、本体１内に設けられた洗浄槽２と、洗浄槽２内に上下に配設され、食器等の被洗浄物６が収容される上食器かご７および下食器かご８と、洗浄槽２に溜められた洗浄水を循環させる洗浄ポンプ２２と、洗浄槽２内の側面に設けられた第２の水平部位１６ｃ等の導水路および導水路出口１６ｄとを備え、導水路出口１６ｄにおいて、少なくとも噴射形態が異なる複数の洗浄ノズルのいずれかが設けられ、前記複数の洗浄ノズルのうちのいずれかから洗浄水を噴射できるように切換可能に構成されている。
【００９５】
この構成によって、上食器かご７および下食器かご８に収容された被洗浄物６に対し、適切に洗浄ノズルを切り換え、被洗浄物６に応じた効果的な洗浄が行えるとともに、大皿等の大きな食器や鍋等の大きな調理器具等の大きな被洗浄物６に対しても充分に洗浄水を供給することができる、高い洗浄性能を有する食器洗い機を提供することができる。
【００９６】
また、本実施の形態における食器洗い機は、本体１と、本体１内に設けられた洗浄槽２と、洗浄槽２内に上下に配設され、食器等の被洗浄物６が収容される上食器かご７および下食器かご８と、洗浄槽２に設けられた導水路１６および導水路出口１６ｄと、導水路出口１６ｄに洗浄ノズル導水路１７ａを介して連通する洗浄ノズルと、洗浄槽２に溜められた洗浄水を洗浄ノズルに送水する洗浄ポンプ２２とを備え、洗浄ノズル導水路１７ａは、導水路出口１６ｄに着脱可能に構成されたものである。
【００９７】
この構成によって、上食器かご７および下食器かご８に収容された被洗浄物６に対し、適切に洗浄ノズルを切り換え、被洗浄物６に応じた効果的な洗浄が行えるとともに、大皿等の大きな食器や鍋等の大きな調理器具等の大きな被洗浄物６に対しても充分に洗浄水を供給することができる、高い洗浄性能を有する食器洗い機を提供することができる。
【００９８】
また、導水路出口１６ｄに固定洗浄ノズル６１が設けられ、洗浄ノズル導水路１７ａは、固定洗浄ノズル６１に被せるようにして導水路出口１６ｄに着脱自在に構成されたものである。この構成によって、洗浄ノズル導水路１７ａの着脱という簡単な操作によって異なる洗浄ノズルに切り換えることができ、高い洗浄効果を有するとともに、使い勝手の良い食器洗い機を提供することができる。
【００９９】
また、前記複数の洗浄ノズルは、本実施の形態の食器洗い機においては、噴射口が固定された固定洗浄ノズル６１または噴射口が回転する第３の回転洗浄ノズル１７である。この構成によって、上食器かご７および下食器かご８に収容された被洗浄物６に応じて適切
な形態の洗浄ノズルに切り換えることによって、高い洗浄効果を得ることができる。
【０１００】
また、第３の回転洗浄ノズル１７は、洗浄ノズル導水路１７ａの先端部に、上面に複数の噴射孔を有する回転自在なアーム部１７ｂを有し、導水路出口１６ｄには固定洗浄ノズル６１が設けられ、洗浄ノズル導水路１７ａは、固定洗浄ノズル６１に被せるようにして導水路出口１６ｄに着脱自在に構成されている。この構成によって、洗浄ノズル導水路１７ａの着脱という簡単な操作によって洗浄ノズルを切り換えることができ、高い洗浄効果を有するとともに、使い勝手の良い食器洗い機を提供することができる。
【０１０１】
また、固定洗浄ノズル６１は、洗浄水を所定方向に分散して噴射するように形成されている。この構成によって、洗浄水を広範囲に満遍なく噴射させ、洗浄槽２内の広範囲に収容された被洗浄物６を効果的に洗浄することができる。
【０１０２】
また、固定洗浄ノズル６１は、円周上に配設された複数の噴射孔によって構成され洗浄水を放射状に噴射する放射噴射孔６２と、前記円周の略中心に設けられ洗浄水を前方に噴射する前方噴射孔６３とを有している。この構成によって、洗浄水を広範囲に満遍なく噴射させ、洗浄槽２内の広範囲に収容された被洗浄物６を効果的に洗浄するとともに、前方に収容された深型の鍋やボウルに向けて集中して強力に洗浄水を噴射させ、効果的に洗浄することができる。
【０１０３】
また、洗浄ノズル導水路１７ａは、水平方向に直線的に着脱可能に構成されている。この構成によって、使用者は、第３の回転洗浄ノズル１７の取り外しおよび取り付けを、上食器かご７を洗浄槽２内に収納した状態でも行うことができ、使い勝手の良い食器洗い機を提供することができる。
【０１０４】
さらに、導水路出口１６ｄに洗浄ノズル導水路１７ａが装着された状態において、洗浄ノズル導水路１７ａと導水路出口１６ｄの双方に設けられた壁面がラビリンス構造を成すことによって、水密に構成されている。この構成によって、消耗部品であるＯリング等のシール部材を使用せずに水密性を実現することにより、頻繁に着脱される洗浄ノズル導水路１７ａと導水路出口１６ｄとの間の水密性を長期に亘り安定して維持することができる。
【０１０５】
また、導水路出口１６ｄより上方に設けられた上食器かご７は、上下に移動して高さ位置を調節可能に構成されたものである。この構成によって、大きい調理器具を収容できるとともに、上食器かご７も活用でき、さらに使い勝手のよいものとなる。
【０１０６】
なお、本実施の形態では、第３の回転洗浄ノズル１７は、固定洗浄ノズル６１に被せるようにして導水路出口１６ｄに着脱することにより洗浄ノズルを自在に切換可能に構成されたものである。しかし、この構成に限られるものではなく、いくつかの例が以下に示される。例えば、固定洗浄ノズル６１を噴射形態が異なる固定洗浄ノズルに交換して切換可能に構成されてもよい。また、固定洗浄ノズルは、洗浄ノズル導水路１７ａを介して導水路出口１６ｄから前方に延出されたものでもよい。また、導水路出口１６ｄから前方に延出された洗浄ノズル導水路１７ａが切換バルブを有して二股に分岐され、その先端に異なる洗浄ノズルが設けられ、いずれかの洗浄ノズルから洗浄水が噴射されるように切換バルブにより切換可能に構成されてもよい。また、洗浄ノズル導水路１７ａは、洗浄ノズルを前方に延設するための延長部材であり、長さを変更するために交換できるように構成されてもよい。
【０１０７】
（実施の形態２）
本発明の実施の形態２における食器洗い機は、導水路１６Ｌの導水路出口１６ｄに設け
られる固定洗浄ノズルの構成が上記実施の形態１とは異なる。他の構成は実施の形態１と同じであり、詳細な説明を省略する。
【０１０８】
図２３は、本発明の実施の形態２における食器洗い機の固定洗浄ノズルを示す要部斜視図である。図２３に示されるように、固定洗浄ノズル６１は、周壁に円周上に等配（本実施の形態では３０°間隔）された複数の円形噴射孔を複数列（本実施の形態では２列）設けることによって構成される放射噴射孔６４と、先端面に複数（本実施の形態では４個）設けられた前方噴射孔６６とを有している。
【０１０９】
放射噴射孔６４は、実施の形態１における放射噴射孔６２より孔径の小さい噴射孔が多数設けられている。これにより、実施の形態１における放射噴射孔６２に比し、特定の方向に集中して強力に洗浄水を噴射させることができる。したがって、噴射される洗浄水が集中する場所に、特によく洗浄したい被洗浄物６をセットしておけば、その被洗浄物６を充分に洗浄することができる。また、洗浄槽２内の全体に洗浄水を噴射させることができる。
【０１１０】
前方噴射孔６６は、実施の形態１における前方噴射孔６３より孔径の小さい噴射孔が複数設けられている。これにより、実施の形態１における前方噴射孔６３に比し、前方の特定の方向に集中して強力に洗浄水を噴射させることができる。したがって、噴射される洗浄水が集中する場所に、特によく洗浄したい被洗浄物６をセットしておけば、その被洗浄物６を充分に洗浄することができる。
【０１１１】
固定洗浄ノズル６１は、上記の噴射孔構成により、下食器かご８に大皿や鍋等のサイズが大きい被洗浄物６が収容された場合に、被洗浄物６に向けて集中的かつ強力に洗浄水を噴射させることができる。特に、内側が洗浄しづらい深型の鍋やボウルは、内側を奥方向に向けて下食器かご８にセットすれば、従来の食器洗い機に較べ格段に効果的に洗浄することができる。
【０１１２】
第３の回転洗浄ノズル１７が導水路出口１６ｄに接続されているときには、放射噴射孔６４および前方噴射孔６６は、第３の回転洗浄ノズル１７への洗浄水送出孔として動作している。放射噴射孔６４を多数の孔径の小さい噴射孔で構成したことに加えて前方噴射孔６６を複数の孔径の小さい噴射孔で構成したことにより、固定洗浄ノズル６１としての集中的かつ強力な洗浄性能を保持するとともに、第３の回転洗浄ノズル１７へ送られる洗浄水の流量、流速を増加させ、第３の回転洗浄ノズル１７から噴射される洗浄水の量および噴射圧を増大させ、必要な洗浄性能を確保している。
【０１１３】
（実施の形態３）
本発明の実施の形態３における食器洗い機は、切換可能に構成された複数の洗浄ノズルが固定洗浄ノズルと上回転洗浄ノズルである点は、上記実施の形態１および実施の形態２と同じであるが、上回転洗浄ノズルの形態が、上記実施の形態１および実施の形態２と異なる。他の構成は実施の形態１またはおよび実施の形態２と同じであり、詳細な説明を省略する。
【０１１４】
図２４は、本発明の実施の形態３における食器洗い機の垂直回転洗浄ノズルが取り付けられた状態を示す正面断面図である。図２４に示されるように、導水路出口１６ｄには、上記実施の形態１および実施の形態２における第３の回転洗浄ノズル１７に替えて、垂直回転洗浄ノズル６７が、導水路出口１６ｄに連通されて着脱自在に接続されている。垂直回転洗浄ノズル６７の導水路出口１６ｄに対する着脱構成は、実施の形態１および実施の形態２と同様の構成である。
【０１１５】
垂直回転洗浄ノズル６７は、導水路出口１６ｄに接続される短い円筒形状の洗浄ノズル導水路６７ａと、洗浄ノズル導水路６７ａの先端部に垂直に設けられた回転自在なアーム部６７ｂとを有している。アーム部６７ｂは前面に洗浄水を噴射する複数の噴射孔を備えている。アーム部６７ｂは、複数の噴射孔から噴射される洗浄水の反力を受けて垂直面内で自動で回転する。
【０１１６】
この構成により、本実施の形態の食器洗い機は、垂直回転洗浄ノズル６７によって洗浄槽２内の広範囲に洗浄水を行き渡らせることができ、洗浄性能を向上させることができる。
【０１１７】
また、上回転洗浄ノズルである垂直回転洗浄ノズル６７からの洗浄水の噴射方向は、下回転洗浄ノズルである第１の回転洗浄ノズル１４および第２の回転洗浄ノズル１５からの洗浄水の噴射方向とほぼ直交している。上回転洗浄ノズルと下回転洗浄ノズルから同時に洗浄水を噴射させれば、上回転洗浄ノズルと下回転洗浄ノズルとから回転しながら噴射される洗浄水がぶつかり合うことにより、より洗浄性能を向上させることができる。
【０１１８】
なお、図２４においては、上食器かご７が取り外されているが、垂直回転洗浄ノズル６７は洗浄槽２の背面に奥行き方向に扁平な形で配設されるので、上食器かご７が洗浄槽２内に収納された状態でも使用できるように構成することも可能である。
【０１１９】
なお、上記の各実施の形態では、第３の回転洗浄ノズル１７あるいは垂直回転洗浄ノズル６７の導水路出口１６ｄに対する着脱自在な構成は、前後方向に直線的に着脱される構成としたが、上記特許文献１の図４に記載されたような回動方式であってもよい。ただし、第３の回転洗浄ノズル１７において回動方式とした場合、上食器かご７を洗浄槽２内に収納した状態では第３の回転洗浄ノズル１７と上食器かご７の下面との間に第３の回転洗浄ノズル１７の回動のための空間が必要となる。したがって、被洗浄物６の収容性もしくは第３の回転洗浄ノズル１７の着脱作業性において、本実施の形態の方が優れている。
【０１２０】
また、固定洗浄ノズル６１は、上記実施の形態１および実施の形態２に記載のものに限られるものではない。洗浄水を所定方向に分散して噴射するように形成されたものであればよい。例えば、円周放射状に噴射する放射噴射孔に替えて、上方あるいは水平方向に扇状に噴射する噴射孔を備えたものであってもよい。
【０１２１】
また、各導水路および導水路出口１６ｄは、洗浄槽２の背面に設けられているが、洗浄槽２の左右の内側面２ａ、２ｂのいずれかに設けられていてもよい。また、各導水路は、洗浄槽２の複数の内側面にまたがって設けられていてもよい。また、各導水路は、洗浄槽２の外側面に設けられていてもよい。
【産業上の利用可能性】
【０１２２】
以上のように、本発明にかかる食器洗い機は、上下の食器かごに収容された被洗浄物に対し、適切に洗浄ノズルを切り換え、被洗浄物に応じた効果的な洗浄が行えるとともに、大皿等の大きな食器や鍋等の大きな調理器具等の大きな被洗浄物に対しても充分に洗浄水を供給することができる、高い洗浄性能を有する食器洗い機を提供することができるので、キッチンのワークトップ等に載置して使用される家庭用の食器洗い機等として有用である。
【符号の説明】
【０１２３】
１  本体
２  洗浄槽
３  開口部
４  上扉体（扉体）
５  下扉体
６  被洗浄物
７  上食器かご
８  下食器かご
１４  第１の回転洗浄ノズル
１５  第２の回転洗浄ノズル
１６  導水路
１６ｃ  第２の水平部位（導水路）
１６ｄ  導水路出口
１６ｅ  係止部
１６ｆ  溝部
１６ｇ、１６ｈ、１６ｉ  外周壁
１６Ｒ、１６Ｌ  導水路
１７  第３の回転洗浄ノズル
１７ａ  洗浄ノズル導水路
１７ｂ  アーム部
１７ｃ  係止部
１７ｄ  突起部
１７ｅ、１７ｆ  外周壁
１８  水溜部
１９  排水口
２０  水溜部蓋
２１  洗浄水循環経路
２２  洗浄ポンプ
２３  残菜フィルタ
２５  ヒータ
２６  排水経路
２７  排水ポンプ
２９  温度センサ
３０  乾燥装置
４１  機外排水口
４２  循環排水口
４５  洗浄水排水吸込口
４８  洗浄水循環吸込口
５１  第１のフィルタ
５２  第２のフィルタ
６１  固定洗浄ノズル
６２  放射噴射孔
６３  前方噴射孔
６４  放射噴射孔
６６  前方噴射孔
６７  垂直回転洗浄ノズル（上回転洗浄ノズル）
６７ａ  洗浄ノズル導水路
６７ｂ  アーム部
【図１】
2019080601.tif 000003
【図２】
2019080601.tif 000004
【図３】
2019080601.tif 000005
【図４】
2019080601.tif 000006
【図５】
2019080601.tif 000007
【図６】
2019080601.tif 000008
【図７】
2019080601.tif 000009
【図８】
2019080601.tif 000010
【図９】
2019080601.tif 000011
【図１０】
2019080601.tif 000012
【図１１】
2019080601.tif 000013
【図１２】
2019080601.tif 000014
【図１３】
2019080601.tif 000015
【図１４】
2019080601.tif 000016
【図１５】
2019080601.tif 000017
【図１６】
2019080601.tif 000018
【図１７】
2019080601.tif 000019
【図１８】
2019080601.tif 000020
【図１９】
2019080601.tif 000021
【図２０】
2019080601.tif 000022
【図２１】
2019080601.tif 000023
【図２２】
2019080601.tif 000024
【図２３】
2019080601.tif 000025
【図２４】
2019080601.tif 000026